(57)【要約】      （修正有）【課題】アクティブ回路を用いる大型の（例えば、４本の指を１度に検知する）指紋センサを低コストで製造する。また、高品質の走査画像を作成する。【解決手段】装置は、複数の能動ピクセルを有するセンサアレイを含む。センサアレイ内の各能動ピクセルは、ソースフォロワトランジスタを有する３トランジスタ（３Ｔ）センサと、検知接点で寄生コンデンサに直列に接続する検知ダイオードとを含む。ソースフォロワトランジスタ増幅器のゲートは、検知接点に接続する。この装置は、センサアレイを覆う絶縁体層を含む。絶縁体層に近接する対象の部分に応じて、この絶縁体層により、可変静電容量が下部の能動ピクセルの検知接点に供給される。この可変静電容量を用いて、対象の画像を検知する。【選択図】図１
2014093774.tif 000002
【特許請求の範囲】
【請求項１】
複数の能動ピクセルを含むセンサアレイであって、前記センサアレイ内の各能動ピクセルが、
ソースフォロワトランジスタを含む３トランジスタ（３Ｔ）センサと、
検知接点で寄生コンデンサと直列に接続する検知ダイオードであって、前記ソースフォロワトランジスタ増幅器のゲートが前記検知接点に接続する、検知ダイオードと、を含むセンサアレイと、
前記センサアレイを覆う絶縁体層であって、前記絶縁体層が、前記絶縁体層に近接する対象の部分に応じて、下部の能動ピクセルの前記検知接点に可変静電容量を供給し、前記可変静電容量を用いて、前記対象の画像を検知する、絶縁体層と、を含む容量式画像センサ。
【請求項２】
前記ソースフォロワトランジスタが、少なくとも前記寄生コンデンサおよび前記絶縁体層に関するチャージポンプとして設定される、請求項１に記載の容量式画像センサ。
【請求項３】
前記ソースフォロワトランジスタが、前記３Ｔセンサのデータ線にかけられた第１の電圧レベルに応じて、少なくとも前記寄生コンデンサおよび前記絶縁体層を帯電させ、前記データ線にかけられている第２の電圧レベルに応じて、検知された電圧が前記ソースフォロワトランジスタにより増幅され、前記検知された電圧に応じて前記データ線を流れる電流が、前記絶縁体層での前記可変静電容量と比例する、請求項１〜２のいずれか１項に記載の容量式画像センサ。
【請求項４】
前記ソースフォロワトランジスタが、１）前記寄生コンデンサの静電容量値（Ｃｐ）、および２）前記絶縁体層により供給される前記変数静電容量（Ｃｆ）の最大値と、同じ桁の大きさのゲート静電容量（ＣＭ１）を有する、請求項１〜３のいずれか１項に記載の容量式画像センサ。
【請求項５】
ＣＭ１、Ｃｐ、およびＣｆの最大値は約１０ｆＦである、請求項４に記載の容量式画像センサ。
【請求項６】
前記３Ｔセンサのデータ線にかけられた第１の電圧レベルに応じて、前記検知接点が帯電電圧で帯電し、前記帯電電圧は、前記ゲート静電容量、前記寄生コンデンサ、および前記絶縁体層に帯電し、前記データ線にかけられている第２の電圧レベルに応じて、前記検知接点が、前記ソースフォロワトランジスタにより増幅された、検知された電圧で帯電し、前記検知された電圧に応じて前記データ線を流れる電流は、前記絶縁体層での前記可変静電容量に比例する、請求項４に記載の容量式画像センサ。
【請求項７】
前記絶縁体層は、ポリマー層を含み、前記センサは、前記絶縁体層と前記下部の能動ピクセルの前記検知接点とを接続する複数の導電性のパッドをさらに含む、請求項１に記載の容量式タッチパターンセンサ。
【請求項８】
前記３Ｔセンサが、前記検知ダイオードと並列のリセットトランジスタと、前記ソースフォロワトランジスタと直列のイネーブリングトランジスタと、データ線と、をさらに含む、請求項１〜７のいずれか１項に記載の容量式タッチパターンセンサ。
【請求項９】
センサアレイ内の能動ピクセルの３トランジスタ（３Ｔ）センサのデータ線に第１の電圧レベルをかけるステップであって、前記３Ｔセンサは、前記データ線に接続する出力を有するソースフォロワトランジスタを含み、前記ソースフォロワトランジスタのゲートは検知接点と接続し、検知ダイオードは、前記検知接点で寄生コンデンサに直列に接続する、ステップと、
前記データ線に第２の電圧レベルをかけるステップと、
かけられている前記第２の電圧レベルに応じて前記データ線を流れる電流を決定するステップと、
前記電流に基づいて、前記能動ピクセルを覆う絶縁体層の可変静電容量を決定するステップと、
前記可変静電容量に基づいて、前記絶縁体層での近接パターンを決定するステップと、を含む方法。
【請求項１０】
少なくとも、前記第１の電圧レベルおよび第２の電圧レベルをかける前記ステップのとき、および前記データ線を流れる前記電流を決定する前記ステップのときに、前記ソースフォロワトランジスタと直列のイネーブリングトランジスタを起動させるステップをさらに含む請求項９に記載の方法。
【発明の詳細な説明】
【技術分野】
【０００１】
本開示は、タッチ／近接パターンセンサに関し、また、このようなセンサに関する方法、装置およびシステムに関する。
【背景技術】
【０００２】
本明細書に記載する例は、容量式タッチパターンセンサに関する。一実施形態では、装置は、複数の能動ピクセルを有するセンサアレイを含む。センサアレイ内の各能動ピクセルは、ソースフォロワトランジスタを有する３トランジスタ（３Ｔ）センサと、検知接点で寄生コンデンサと直列に接続する検知ダイオードとを含む。ソースフォロワトランジスタ増幅器のゲートは検知接点に接続する。この装置は、センサアレイを覆う絶縁体層を含む。この絶縁体層により、絶縁体層に近接する対象の部分に応じて、下部の能動ピクセルの検知接点に可変静電容量が供給される。この可変静電容量を用いて対象の画像を検知する。
【発明の概要】
【課題を解決するための手段】
【０００３】
もう１つの実施形態では、方法には、センサアレイ内の能動ピクセルの３トランジスタ（３Ｔ）センサのデータ線に第１の電圧レベルをかけるステップが含まれる。３Ｔセンサは、データ線に接続するソースフォロワトランジスタを含む。ソースフォロワトランジスタは、検知接点に接続するゲートを有する。検知ダイオードは、この検知接点で寄生コンデンサと直列に接続する。データ線に第２の電圧レベルが掛けられ、データ線を流れる電流は、かけられている第２の電圧レベルに応じて決定される。能動ピクセルを覆う絶縁体層の可変静電容量は、この電流に基づいて決定される。絶縁体層での近接パターンは、この可変静電容量に基づいて決定される。
【０００４】
種々の実施形態のこれらの、およびその他の特性および様態は、以下の詳細な議論および添付図面を参照して理解することができる。
【０００５】
下記の議論は、次の図面を参照して行われ、これらの図面では、同じ参照符号を用いて複数の図面で同様の／同じ構成部品を識別することができる。
【図面の簡単な説明】
【０００６】
【図１】図１は、例示の実施形態による容量式タッチパターンセンサの断面図である。
【図２】図２は、例示の実施形態によるセンサアレイの詳細を示すブロック図である。
【図３】図３は、例示の実施形態による能動ピクセルの回路を示す概略図である。
【図４】図４は、図３に示すピクセル構成のＳＰＩＣＥシミュレーションの結果を示すグラフである。
【図５】図５は、図３に示すピクセル構成のＳＰＩＣＥシミュレーションの結果を示すグラフである。
【図６】図６は、例示の実施形態による容量式タッチパターンセンサから得られたサンプルの指紋画像である。
【図７】図７は、例示の実施形態による容量式検知装置の能動ピクセルの、信号対ノイズを計測したヒストグラムである。
【図８】図８は、例示の実施形態による手順を示すフローチャートである。
【図９】図９は、例示の実施形態による手順を示すフローチャートである。
【発明を実施するための形態】
【０００７】
本開示は、指紋センサなどのタッチ／近接パターンセンサに関する。一般に、指紋（および、例えば、手および足の同様のパターン）は、容易に利用可能な人それぞれに一意の生体インジケータである。結果として、コンピュータで走査された手／指紋画像を、認証などの目的で使用可能である。例えば、走査センサは、平坦な面を含み得、この平坦な面に対して指（または、全ての走査される対象）を置く。センサはこの接触に応答して、走査される対象の質感／輪郭の画像を生成する。パターン認識ソフトウェアが、走査された画像の寸法情報と記憶された寸法情報と照合し、この寸法情報の照合結果に基づいて、身元を確認することができる。
【０００８】
光学センサを用いる方法など、指紋画像を取得することが可能な複数の方法が存在するが、下記に記載する実施形態では、容量式検知方式を使用する。一般に、検知面に接触する対象は、接触するどこの面の局所的な電気容量にも作用する。容量式タッチ入力検知方式は、接触する位置（例えば、タッチスクリーン、タッチパッド）の大まかな目安を決定するために広く使用されているが、本明細書に記載されるセンサは、従来のタッチ入力センサよりも、はるかに高い解像度（例えば、約５００ｄｐｉ）を実現可能である。本明細書の実施形態は、生体接触検知方式に関して説明可能であるが、実施形態およびその変更形態は、他の装置に適用可能であることは言うまでもない。例えば、非破壊検査の撮像装置などの装置は、接触検知要素に接触する、および／または、相対的に近接する対象の部分に基づいて画像を取得可能である。
【０００９】
次に、図１を参照すると、例示の実施形態による容量式タッチパターンセンサの断面図が示される。センサアレイ１０２が、基板１０４（例えば、ガラス）の上に形成される。このセンサアレイ１０２は、複数の能動ピクセル１００を含む。以下に、そのピクセル１００の一例をさらに詳しく説明する。各ピクセル１００は一般的に、検知パッド１０６に電気的に接続する。このパッド１０６は導電性で、絶縁体層１０８に覆われる。この絶縁体層１０８は、パリレンなどの保護コーティングポリマーから作ることができる。導電性の対象１０９が絶縁層１０８と接触し、パッド１０６の局所的な静電容量を変化させ、この作用を受けたパッド１０６に接続する能動ピクセル１００がこれを検知する。例えば、指紋の頂上部１１２により頂上部１１２の真下のパッド１０６で静電容量が計測され、その静電容量は、指紋の谷部１１０の真下の別のパッド１０６とは異なる。この静電容量は接触対非接触に基づいてのみ変化し得るが、非接触部分の相対的な近接により変化する可能性もある。例えば、絶縁層１０８の面からの異なる距離により、指紋の谷部が異なる静電容量が発生し得る。
【００１０】
次に、図２を参照すると、例示の実施形態によるセンサアレイ１０２の詳細を示すブロック図が示される。センサアレイ１０２は、複数の個々の能動ピクセル素子１００を含む。これらの素子１００は、それぞれ行線２０４および列線２０６のうちの一方に関連する。一般に、画像を検知するために、各行線２０４を順序通りに起動することができる。行線２０４を起動させることにより、行線内の全ての素子１００が起動される（例えば、イネーブリングトランジスタのスイッチを入れる）。次いで、各列線（例えば、データ線）２０６を走査して、現在起動している行内の個々の素子１００を読み取る。素子１００を走査する別の方法が当技術分野では知られており、実施形態は必ずしも図２に示す方法に限定されない。
【００１１】
下記に、より詳細に記載する通り、各列線２０６の読み込みでは、第１の期間中、第１の電圧レベルを各列線２０６にかけ、次いで、第２の期間中より低い第２の電圧レベルに切り替えることができる。第１の電圧レベルが現在読込まれている素子１００に帯電し、第２の電圧レベルにより列線を介して電流が流れ、これにより、素子１００の検知される静電容量が示される。
【００１２】
次に、図３を参照すると、例示の実施形態による能動ピクセル１００の概略図が示される。この能動ピクセル１００は一般に、３トランジスタセンサとして設定され、これは。時々、３Ｔセンサピクセルとして短縮される。この図内の３つのトランジスタＭ１、Ｍ２、Ｍ３は、Ｎ型、低温、ポリシリコン（Ｐｏｌｙ−Ｓｉ）薄膜トランジスタ（ＴＦＴ）であるが、金属酸化膜半導体、電界効果トランジスタ（ＭＯＳＦＥＴ）などのその他の種類のトランジスタ装置を使用することも可能である。しかし、ＴＦＴは、ＭＯＳＦＥＴに対して、コストおよび製造の簡単さなどの利点を有し得る。トランジスタＭ２は、リセット信号Ｇｎ＋１に応じて、リセットトランジスタとして設定される。
Ｇｎ＋１が起動されると、Ｍ２が高周波数の整流／検知ダイオードＤ１を短絡させ、検知接点Ｊ１をＤ１のバイアス電圧につなげることができる。リセットトランジスタＭ２を、次の行のイネーブル線（Ｇｎ＋１）に接続することにより、分離した一連のリセット線を使用することなしに、能動ピクセル１００をリセットすることができる。別の構成では、先行する行のイネーブル線（Ｇｎ−１）、分離リセット線、近接する列線のデータ線Ｄｎなどの別の線によりＭ２をリセットすることができる。
【００１３】
図３で見られる通り、２つのコンデンサＣｐおよびＣｆは、検知接点Ｊ１で検知ダイオードＤ１に接続する。Ｃｐ構成部品は寄生コンデンサであり、その一端が検知接点Ｊ１の接続し、もう一端は接地される。Ｃｆ構成部品は、検知されたパッドの静電容量および絶縁層（図１の検知パッド１０６および絶縁層１０８を参照）をモデル化したものである。Ｃｆの実効値は、対象（例えば、指紋頂上部）が絶縁層に接触しているか否かににより、０（又は０の近く）から特定の最大値（この例では、約１０ｆＦ）に変化可能である。下記により詳細に記載する通り、検知される静電容量は、Ｍ１（ＣＭ１）のゲート静電容量の割合およびＣｆ、Ｃｐ、およびＣＭ１の合計に基づいて見出すことができる。
【００１４】
Ｍ１トランジスタは、検知接点Ｊ１につながるゲートを有するソースフォロワとして設定される。イネーブル信号Ｇｎに応じてイネーブリングトランジスタＭ３のスイッチがオンになると、Ｍ１の出力はデータ線Ｄｎにつながる。トランジスタＭ１はまた、コンデンサＣｆおよびコンデンサＣｐを帯電するためのチャージポンプとしても機能する。Ｍ３が動作可能のとき、この帯電はピクセル１００の操作周期の間に行われる。一実施形態では、操作周期は５０〜７０μｓの間である。この周期の一部の期間中（帯電期間）、データ線Ｄｎの電位の第１の電圧レベルに下げられ、この結果、ゲートの静電容量ＣＭ１に余剰電荷が溜まり、ダイオードＤ１を流れる電流により安定した帯電電圧Ｖｃｈａｒｇｅ＝Ｖｄｉｏｄｅ＿ｂｉａｓを維持する。
【００１５】
操作周期（検知期間）の後の期間でデータ線の電圧もとの電圧に戻すと、帯電期間中にＭ１のゲートに蓄積された電荷が、Ｃｐ、Ｃｆ、ＣＭ１の間に再分配される。検知期間の終わりの検知接点Ｊ１での最終電圧（Ｖｓｅｎｓｅ）は、この期間でソースフォロワＭ１の入力、およびＭ１の出力となり、Ｄｎ上に読み出される。Ｖｃｈａｒｇｅの電位とＶｓｅｎｓｅの電位の間の差をΔＶとして表すことができ、ＣＭ１／（Ｃｆ＋Ｃｐ＋ＣＭ１）にほぼ比例する。一般的には、検知期間中にＤｎを流れる電流を測定することにより静電容量Ｃｆを決定することができる。
【００１６】
図３には、特定な構成部品の種類およびそれぞれの値が示されているが、構成部品の種類および変数は、図示するものとは異なってもよく、それでも、請求項に記載された発明の範囲内であることは当業者なら理解されよう。例えば、ＣＭ１およびＣｐの静電容量の値は、検知される静電容量Ｃｆを供給する実際の構成と合せるために、図示するものから変更可能である。ある構成では、Ｃｆは約１０ｆＦ（１ｆＦと１００ｆＦの間）であることが分かり、それに伴いＣＭ１およびＣｐも全て同様の範囲内に収まるよう選択される。但し、ＣＭ１の値は、ＴＦＴの設計で固有のものであり、したがって、ＣＭ１の変更は、実際の構成／実際の寸法、および／または、使用されるトランジスタの種類を変更することにより、あるいは、電気部品（例えば、インラインコンデンサ）追加することにより実現可能である。別の変更形態では、例えば、説明したＮチャネルトランジスタをＰチャネルディバイスと交換し、ダイオードの方向および電圧の極性を反転させることにより、回路内にＰチャネルトランジスタを用いることができる。
【００１７】
次に、図４および図５を参照すると、図３に示す構成のピクセル１００のＳＰＩＣＥシミュレーションの結果のグラフが示される。図４では、トレース４０２およびトレース４０４はそれぞれ、Ｃｆ＝０およびＣｆ＝１３ｆＦに対するＭ１のゲート電位を示す。期間４０６は、Ｍ１の操作周期を表す。期間４０８および期間４１０は、操作周期４０６の帯電期間および読出し期間をそれぞれ表す。電圧４１２および電圧４１４は、Ｃｆの異なる値に比例し、検知信号、例えば、ピクセル１００から出力されるデータ線の電流、に対するバイアスとして使用することができる。図５では、トレース５０２、５０４は、Ｃｆ＝０およびＣｆ＝１３ｆＦに対してピクセル１００から出力される電流をそれぞれ表す。各期間４０８、４１０もまた図５に示され、検知期間４１０中の電流の差を用いて、検知された静電容量を決定する。
【００１８】
読出し期間４０８と４１０の間のデータ線かけられる電位差は、データ線のリセットスイッチとして知られるスイッチによりもたらすことができる。データ線のリセットスイッチは、ピクセルアレイと同じ基板上で、各データ線の端に配置されたＴＦＴを含む。ＴＦＴは制御線により起動され、全てのデータ線リセットＴＦＴにより、この制御線は共有される。データ線のリセットスイッチが起動すると、このデータ線のリセットスイッチは、そのデータ線を外部電圧源と接続させ、データ線の電位をこの電圧源により規定される値に設定する。このような電位差を作用するための別の方法がいくつか存在する。例えば、現在ピクセルが起動している間に読出し電荷増幅器（図２の読出し線２０６に接続する）のＶｒｅｆを変化させることができる。
【００１９】
上記に説明した通り、起動アレイ内の各ピクセルを走査することで、電荷と検知電圧との間の差により、各ピクセルのデータ線に電流が流れる。これらの電流を計測することで、図６に示されるサンプルの手形の画像などの画像が組立てることができる。薄膜トランジスタ（ＴＦＴ）製造技術の進歩により、この種類のアクティブ回路を用いる大型の（例えば、４本の指を１度に検知する）指紋センサを低コストで製造可能である。この種類のセンサはまた、高品質の走査画像を作成することもできる。走査品質は、少なくとも部分的には容量式センサピクセルを用いて得ることができる、高い信号対ノイズ率（ＳＮＲ）による。
【００２０】
次に、図７を参照すると、例示の実施形態による、容量式検知装置の能動ピクセルに関する、計測されたＳＮＲを示すヒストグラムが示される。曲線７０２は、ピクセルアレイに関する明るい領域のＳＮＲを表し、曲線７０４は、同じアレイに関する暗い領域のＳＮＲ測定結果を表す。曲線７０２の頂点の値は１８３であり、曲線７０４の頂点の値は３１０である。これらの曲線の平均値／中間値は、この種類の装置に関する受け入れ可能の最少ＳＮＲ標準値（例えば、ＳＮＲ１２５）よりはるかに高い。
【００２１】
本明細書に記載される能動ピクセルセンサが、これらのＳＮＲレベルを実現できた１つの理由は、図３を参照して上記に記載した通り、ＣＭ１、Ｃｆ、Ｃｐの低い静電容量の値によるものである。ゲートの静電容量ＣＭ１は、約１０ｆＦ（例えば、１ｆＦと１００ｆＦの間）であり、Ｃｆ、および寄生コンデンサＣｐの値として図３にモデル化された絶縁体層全体に渡る平面の静電容量に匹敵する（例えば、同じ桁の大きさ）。このような低い静電容量により、回路Ｃｆ内における電荷に対して非常に感度が高くなる。これが、上記のＳＮＲの測定で反映されると、Ｍ２により提供された信号の増幅と組み合わさり、優れた感度を提供する。
【００２２】
次に、図８を参照すると、例示の実施形態による方法のフローチャートが示される。この方法では、ステップ８０２で、センサアレイ内の能動ピクセルの３Ｔセンサのソースフォロワに直列に接続するイネーブリングトランジスタを起動させる。ステップ８０４で、３Ｔセンサのデータ線に第１の電圧レベルをかける。次いで、ステップ８０６で、データ線に第２の電圧をかける。ステップ８０８で、かけられている第２の電圧に応じてデータ線を流れる電流を決定する。ステップ８１０で、この電流に基づいて、能動ピクセルを覆う絶縁層の可変静電容量を決定し、ステップ８１２で、この可変静電容量に基づいて、絶縁体層に近接する対象の画像を決定する。
【００２３】
次に、図９を参照すると、例示の実施形態による方法のフローチャートが示される。この方法では、ループエントリブロック９０２で示す通り、動作ステップ９０４〜ステップ９０７の動作を繰り返す。図２に示す通り、例えば、アレイのいくつかのまたは全ての行線と列線を走査することにより、このループは容量式タッチセンサの複数の能動ピクセルごとに行われる。
【００２４】
ステップ９０４で、能動ピクセルごとに、能動ピクセルの３Ｔセンサのイネーブルトランジスタを起動させ、少なくともその後のステップ９０５〜ステップ９０７の間起動したままにすることができる。ステップ９０５で、能動ピクセルのデータ線に第１の電圧レベルをかける。この３Ｔセンサは、ソースフォロワトランジスタを有し、このソースフォロワトランジスタは、ゲートを検知接点に接続させた状態でデータ線に接続する（例えば、イネーブルトランジスタを介して）。検知ダイオードは、この検知接点で寄生コンデンサに直列に接続する。
【００２５】
ステップ９０６で、データ線に第２の電圧をかける。ステップ９０７で、かけられている第２の電圧に応じてデータ線を流れる電流に基づいて、能動ピクセルを覆う絶縁体層の可変静電容量を決定する。ステップ９０２で、ループが終了すると、ステップ９１２で、複数の能動ピクセルのそれぞれから測定した可変静電容量に基づいて近接する画像を決定する。
【００２６】
上記の例示の実施形態の記載は、図示と説明を目的として提示されているものであり、まさにその開示された形態が全てを網羅すること、あるいは、その形態に限定する意図はない。上記の教示を考慮すると、様々な修正形態および変更形態が可能である。開示された実施形態の任意のまたは全ての特徴は、個々に、またはあらゆる組み合わせで、適用可能であり、限定を意味するものでなく、純粋な説明だけを意味する。本発明の範囲はこの詳細な記載により限定されるものでなく、付随する請求項により決定されることを意図する。
【図１】
2014093774.tif 000003
【図２】
2014093774.tif 000004
【図３】
2014093774.tif 000005
【図４】
2014093774.tif 000006
【図５】
2014093774.tif 000007
【図７】
2014093774.tif 000008
【図８】
2014093774.tif 000009
【図９】
2014093774.tif 000010
【図６】
2014093774.tif 000011